(57)【要約】【課題】ＩＣデバイス間で伝送される出力信号の電圧ピーキングを制御するためのマルチデバイスシステム及び方法を提供する。【解決手段】集積回路（ＩＣ）デバイス１０２の出力回路１０６と集積回路デバイス１０４の入力回路１０８との間で伝送される出力信号の電圧ピーキングを制御するマルチデバイスシステム及び方法は、ＩＣデバイスの製造後に調整することのできる様々な電気素子を利用して入力回路および出力回路のインピーダンスを変える。これらの調整可能電気素子には入力回路内の１つ以上のパストランジスタ１２６が含まれ、このトランジスタのオン抵抗はパストランジスタに供給される制御信号を調整することで変化させることができる。調整可能電気素子にはまた、下記のうちの１つ以上のものが含まれ得る。すなわち、調整可能電流源１１６、調整可能抵抗器１１４、１３０、調整可能抵抗器として動作する抵抗値調整可能トランジスタ１３２である。【選択図】図１
2004236311.tif 000002
【特許請求の範囲】
【請求項１】
出力回路から入力回路へ伝送される出力信号の電圧ピーキングを制御する方法であって、
前記入力回路を配設するステップであって、該入力回路は、入力ノードと低電圧端子との間に直列接続されたパストランジスタを有し、前記入力ノードは、前記出力回路から前記出力信号を受信するように接続されている、ステップと、
前記入力回路の前記パストランジスタに印加される制御信号を調整して該パストランジスタのオン抵抗を変えるステップであって、前記パストランジスタの前記オン抵抗は、前記電圧ピーキングが、前記パストランジスタの前記オン抵抗の変化により少なくとも部分的に制御され得るように、前記出力信号の前記電圧ピーキングと所定の関係を有している、ステップと、
を含む方法。
【請求項２】
前記入力回路を配設するステップが前記入力ノードに直列接続された調整可能抵抗器を更に有する前記入力回路を配設するステップを含み、前記入力回路の前記調整可能抵抗器の前記抵抗値を変化させるステップを更に含む、請求項１に記載の方法。
【請求項３】
前記入力回路を配設するステップが前記入力ノードに直列接続された抵抗値調整可能トランジスタを更に有する前記入力回路を配設するステップを含み、前記入力回路の前記抵抗値調整可能トランジスタに印加される制御信号を調整して前記抵抗値調整可能トランジスタのオン抵抗を変えるステップを更に含む、請求項１又は２に記載の方法。
【請求項４】
高電圧端子と低電圧端子との間に直列接続された駆動トランジスタを有する前記出力回路を配設するステップであって、該出力回路は、前記駆動トランジスタと出力ノードとの間に直列接続された調整可能抵抗器をも有し、前記出力ノードは、前記入力回路の前記入力ノードに電気的に接続されて、前記出力信号を前記入力回路へ伝送している、ステップと、
前記出力回路の前記調整可能抵抗器の抵抗値を変えるステップと、
を更に含む、請求項１乃至３のいずれか１項に記載の方法。
【請求項５】
前記出力回路を配設するステップであって、該出力回路は、高電圧端子と低電圧端子との間に直列接続された駆動トランジスタ及び調整可能電流源を有し、前記出力回路は、前記駆動トランジスタに接続された出力ノードをも有し、前記出力ノードは、前記入力回路の前記入力ノードに電気的に接続されて前記出力信号を前記入力回路へ伝送している、ステップと、
前記出力回路の調整可能電流源へ供給される制御信号電圧を調整して、前記調整可能電流源によって引き込まれる電流を変えるステップと、
を更に含む、請求項１乃至４のいずれか１項に記載の方法。
【請求項６】
出力信号を伝送するよう構成された出力回路を有する第１の集積回路デバイスと、
前記出力回路に電気的に接続された入力回路を有する第２の集積回路デバイスであって、前記入力回路が、
前記出力回路に接続されて前記出力信号を受信する入力ノードと、
前記入力ノードに接続されたパストランジスタであって、制御信号を受信して前記パストランジスタを選択的に作動させる制御電極を有する前記パストランジスタと、
前記パストランジスタの前記制御電極に直列接続された調整可能信号源であって、前記制御信号を調整して前記パストランジスタのオン抵抗を変え、それにより、前記出力信号の電圧ピーキングを制御する前記調整可能信号源と、
を有する前記第２の集積回路デバイスと、
を備えているマルチデバイスシステム。
【請求項７】
前記出力回路が、駆動トランジスタと調整可能電流源と調整可能信号源とを有し、前記駆動トランジスタおよび前記調整可能電流源は、高電圧端子と低電圧端子との間に直列接続され、前記駆動トランジスタは、出力ノードにも接続されて前記出力信号を前記入力回路へ伝送し、前記調整可能信号源は、前記調整可能電流源に供給される第２の信号を調整して該調整可能電流源によって引き込まれる電流を調整するように構成されている、請求項６に記載のマルチデバイスシステム。
【請求項８】
前記出力回路が、前記駆動トランジスタと前記出力ノードとの間に直列接続された調整可能抵抗器を更に備えている、請求項７に記載のマルチデバイスシステム。
【請求項９】
前記入力回路が、前記入力ノードに直列接続された調整可能抵抗器を更に備えている、請求項６乃至８のいずれか１項に記載のマルチデバイスシステム。
【請求項１０】
前記入力回路が、前記入力ノードに直列接続された抵抗値調整可能トランジスタを更に備え、該抵抗値調整可能トランジスタは、第２の制御信号を前記抵抗値調整可能トランジスタへ供給する第２の調整可能信号源にも接続され、該第２の調整可能信号源は、前記第２の制御信号が、前記抵抗値調整可能トランジスタのオン抵抗を変えるように調整され得るよう構成されている、請求項６乃至９のいずれか１項に記載のマルチデバイスシステム。
【発明の詳細な説明】
【技術分野】
【０００１】
本発明は一般に集積回路に関し、より詳しくは集積回路デバイスのインタフェースに関する。
【背景技術】
【０００２】
システムの集積回路デバイス（ＩＣ）は、一般に入力回路と出力回路を用いてインタフェースがとられる。一つのＩＣデバイスの出力回路は別のＩＣデバイスの入力回路を駆動するのに用いられ、通常それは静電容量により左右される。ＩＣデバイス間の接続は、ボンディングワイヤ及び／又は通常は誘導的である短絡（λ≪λ／４）伝送線路で構成することができる。この種のインタフェースには、下式が適用される。
【０００３】
【数１】
2004236311.tif 000003
【０００４】
ここで、ＲDは出力回路の抵抗であり、ＢＷは帯域幅であり、ＣLは入力回路の負荷容量であり、ＲLは入力回路の負荷抵抗であり、Ｌはデバイス間結線のインダクタンスであり、ｆresはＬＣ共振周波数である。
【０００５】
多くの広帯域用途にあっては、最大の帯域幅を有する平坦なすなわち非常に低い電圧ピーキング（peaking）周波数応答が望まれる。しかしながら、インタフェースがとられたＩＣデバイスは、ｆresにおいてＬＣ共振をもつことになる。たとえシステム帯域幅を出力回路により決定し、ｆresよりも小さくしたとしても、システム全体の伝達関数はインタフェースの誘導性共振が原因でかなりのピーキングを蒙る。ピーキング量はＱ値により決定され、それは下式で表わされる。
【０００６】
【数２】
2004236311.tif 000004
【０００７】
ピーキングを制御する高速デバイス間結線の既存の方法は、ＲDおよびＲLを、ＲL，ＲD≒ＺLの如く選択することが含まれる。ここで、伝送線路の終端に基づき、ＺL＝√（Ｌ／ＣL）となる。しかしながら、これらの方法の使用は、ＲDを増大させた場合に達成可能な帯域幅を減らし、或いはＲLをＺLまで低減させた場合に信号振幅を低減する。更にまた、ＲD，ＲL，ＣLは集積回路技術のプロセス変動の影響を受ける。かくして、ＲD，ＲLを選択して予測可能な結果をもってピーキングを制御することは、プロセス変動により、困難な作業となる。
【発明の開示】
【発明が解決しようとする課題】
【０００８】
これらの懸念に鑑み、必要とされるのは、達成可能な帯域幅及び／又は振幅を著しく低減することなく、その一方でプロセス変動を考慮に入れてインタフェースをとったＩＣデバイス間で伝送される出力信号の電圧ピーキングを制御するマルチデバイスシステム及び方法である。
【課題を解決するための手段】
【０００９】
集積回路（ＩＣ）デバイスの入力回路と出力回路との間で伝送される出力信号の電圧ピーキングを制御するマルチデバイスシステム及び方法は、ＩＣデバイス製造後に調整することのできる様々な電気素子を利用して入力回路と出力回路のインピーダンスを変えるものである。これらの調整可能電気素子には入力回路内の１つ以上のパストランジスタが含まれ、このトランジスタのオン抵抗はパストランジスタに供給される制御信号を調整することで変化させることができる。調整可能電気素子にはまた、下記のうちの１つ以上のものが含まれ得る。すなわち、調整可能電流源と、調整可能抵抗器と、調整可能抵抗器として動作する抵抗値調整可能トランジスタである。
【００１０】
本発明の一実施形態によるマルチデバイスシステムには、出力回路を含む第１のＩＣデバイスと入力回路を含む第２のＩＣデバイスとが含まれる。出力回路は、出力信号を入力回路へ伝送するために、入力回路へ電気的に接続してある。入力回路は、入力ノードとパストランジスタと調整可能電圧源とを含む。入力ノードは、出力信号を受信するために第１のＩＣデバイスの出力回路に接続してある。パストランジスタは、入力ノードに接続してある。パストランジスタは制御電極を有し、この制御電極は、制御信号を受信するために、調整可能電圧源に直列に接続してある。調整可能電圧源は、パストランジスタのオン抵抗を変える制御信号を調整するような構成としてある。パストランジスタのオン抵抗の変化は入力回路のインピーダンスに影響を及ぼし、そのことが翻って出力回路から入力回路へ伝送される出力信号の電圧ピーキングに影響を与える。
【００１１】
本発明の一実施形態による、ＩＣデバイス間で伝送される出力信号の電圧ピーキング制御方法は、入力ノードと低電圧端子との間に直列接続したパストランジスタを含む入力回路を設けるステップと、入力回路のパストランジスタに印加される制御信号を調整してパストランジスタのオン抵抗を変化させ、それにより、出力回路から入力回路の入力ノードへ伝送される出力信号の電圧ピーキングに影響を与えるステップと、を含む。
【００１２】
本発明の他の態様及び効果は、本発明原理の例示として図示した添付図面と併せ以下の詳細な説明から明らかとなろう。
【発明を実施するための最良の形態】
【００１３】
図１を参照すると、本発明の一実施形態による、集積回路（ＩＣ）デバイス１０２とＩＣデバイス１０４とを有するマルチデバイスシステム１００が図示してある。ＩＣデバイス１０２，１０４は、半導体チップとすることができる。ＩＣデバイス１０２は出力回路１０６を含み、その一方でＩＣデバイス１０４は入力回路１０８を含み、この入力回路は出力回路から伝送される出力信号により駆動される。ＩＣデバイス１０２，１０４は電気結線１１０によりインタフェースがとられており、この結線がＩＣデバイス１０２の出力回路１０６とＩＣデバイス１０４の入力回路１０８を接続している。電気結線１１０は、ボンディングワイヤ及び／又は短絡（λ≪λ／４）伝送線路とすることができる。図１に示した如く、電気結線１１０は誘導的であり、それが誘導性共振に起因するかなりのピーキングを招く。出力回路１０６と入力回路１０８は、ＩＣデバイスのインタフェースによる電圧ピーキングが制御できるよう、それぞれのインピーダンスがＩＣデバイス１０２，１０４の製造後に調整し得るように設計してある。
【００１４】
ＩＣデバイス１０２の出力回路１０６は、駆動トランジスタ１１２と随意選択的な調整可能抵抗器１１４と調整可能電流源１１６と調整可能電圧源１１８を含む。駆動トランジスタ１１２は、エミッターフォロワとして構成したバイポーラトランジスタである。かくして、駆動トランジスタ１１２のコレクタは高電圧端子（例えば、供給電圧端子）に接続され、トランジスタのエミッタは随意選択的な調整可能抵抗器１１４を介して出力ノード１２２に接続される。駆動トランジスタ１１２のエミッタはまた、調整可能電流源１１６に接続してある。他の実施形態では、駆動トランジスタ１１２は電界効果トランジスタ（ＦＥＴ）や相補型金属酸化膜半導体（ＣＭＯＳ）などの他種のトランジスタとすることもできる。出力ノード１２２は、電気結線１１０に接続してある。駆動トランジスタ１１２のベースは、駆動信号ｄｒｖ＿ｓｉｇを受信する構成としてあり、この信号が駆動トランジスタ１１２を通って流れる電流を制御（増大或いは減少）する。かくして、駆動信号は出力回路１０６から入力回路１０８へ伝送される出力信号を決定して入力回路を駆動する。
【００１５】
調整可能電流源１１６は、駆動トランジスタ１１２のエミッタと低電圧端子１２４、例えばグラウンドとの間に直列接続してある。調整可能電流源１１６は、調整可能電圧源１１８からの制御電圧により制御される。調整可能電流源１１６が引き込む電流は、制御電圧に依存する。かくして、調整可能電流源１１６が引き込む電流は調整可能電圧源１１８からの制御電圧を変化させることで調整することができる。従って、固定された電流源とは対照的に、調整可能電流源１１６が引き込む電流をＩＣデバイス１０２の製作後に調整し、下記の如く伝送出力信号の電圧ピーキングを制御することができる。一例として、調整可能電流源１１６はバイポーラトランジスタとすることもでき、調整可能電圧源１１８はオン・デバイスのディジタル／アナログ（Ｄ／Ａ）変換器とすることもできる。本例では、バイポーラトランジスタが引き込む電流はディジタル信号をＤ／Ａ変換器に選択的に伝送することで制御され、これによりバイポーラ電流源トランジスタに対するアナログ制御電圧を調整することができる。別の例では、調整可能電圧源１１８は調整可能抵抗器付き分圧器とし、分圧器が供給する電圧が調整可能となるようにすることもできる。
【００１６】
出力回路１０６の随意選択的な調整可能抵抗器１１４は、駆動トランジスタ１１２のエミッタと出力ノード１２２との間に接続してあり、その抵抗値を製造後に調整することのできる抵抗器としてある。一例として、調整可能抵抗器１１４はレーザによりトリミングして抵抗器の抵抗値を変えることのできる抵抗器でよい。別の例では、調整可能抵抗器１１４は選択的に短絡させることのできる抵抗器群とし、幾つかの抵抗器だけを動作させて被接続抵抗器の総抵抗値を変えることができるようにすることもできる。
【００１７】
出力回路１０６の構成により、出力回路のインピーダンスはＩＣデバイス１０２の製作後に調整できるようになっている。出力回路１０６のインピーダンスは調整可能電流源１１６が引き込む電流を変化させることで調整され、調整可能電流源１１６は調整可能電圧源１１８が調整可能電流源１１６に供給する制御電圧によって制御される。出力回路１０６のインピーダンスは、調整可能抵抗器１１４の抵抗を変えることでも調整することができる。出力回路１０６のインピーダンスがＩＣデバイス１０２からＩＣデバイス１０４へ伝送される出力信号の電圧ピーキングに影響を及ぼすので、電圧ピーキングは調整可能電流源１１６及び／又は調整可能抵抗器１１４を用いて出力回路のインピーダンスを選択的に調整することで少なくとも一部制御することができる。
【００１８】
ＩＣデバイス１０４の入力回路１０８は、パストランジスタ１２６と負荷キャパシタ１２８と随意選択的な調整可能抵抗器１３０と随意選択的な抵抗値調整可能トランジスタ１３２とスイッチング装置１３４と調整可能電圧源１３６，１３８を含む。パストランジスタ１２６は入力ノード１４０に接続してあり、そのノードは電気結線１１０に接続してある。かくして、入力回路１０８の入力ノード１４０は電気結線１１０を介して出力回路１０６の出力ノード１２２に接続される。本実施形態では、パストランジスタ１２６はＦＥＴである。しかしながら、パストランジスタは他種のトランジスタとすることもできる。パストランジスタ１２６は、トランジスタのゲートに供給される制御信号により選択的に作動されてＩＣデバイス１０２の出力回路１０６から伝送される出力信号をサンプリングするサンプリングトランジスタとすることができる。パストランジスタ１２６のゲートに供給する制御信号の電圧をＩＣデバイス１０４製造後に調整し、これによりパストランジスタのオン抵抗を変えることができる。パストランジスタ１２６のゲートへの制御信号はスイッチング装置１３４を介して調整可能電圧源１３６により供給され、この装置はサンプリング用クロック信号でよいオンオフ信号ｏｎ＿ｏｆｆに基づいて制御信号を選択的に伝送する構成としてある。本実施形態では、スイッチング装置１３４は相補型のＰチャンネル金属酸化膜半導体（ＰＭＯＳ）トランジスタ１４２及びＮチャンネル金属酸化膜半導体（ＮＭＯＳ）トランジスタ１４４を含む。ＰＭＯＳトランジスタ１４２とＮＭＯＳトランジスタ１４４は、調整可能電圧源１３６と低電圧端子１２４との間に直列接続してある。ＰＭＯＳトランジスタ１４２とＮＭＯＳトランジスタ１４４のゲートはオンオフ信号を受信するよう接続してあり、この信号が選択的にＰＭＯＳトランジスタを作動させ、ＮＭＯＳトランジスタを作動停止させて、パストランジスタ１２６のゲートへ制御信号を伝送する。ＰＭＯＳトランジスタの選択的な作動が調整可能電圧源１３６をパストランジスタ１２６のゲートへ接続するので、調整可能電圧源１３６が供給する電圧がパストランジスタのゲートの制御信号電圧を制御する。調整可能電圧源１３６は、オン・デバイスのディジタル／アナログ（Ｄ／Ａ）変換器或いは調整可能抵抗器付き分圧器とすることができる。
【００１９】
入力回路１０８の負荷キャパシタ１２８は、パストランジスタ１２６と低電圧端子１２４との間に接続してある。負荷キャパシタ１２８は、寄生回路容量及び／又は故意に付加した容量を表わすことができる。随意選択的な調整可能抵抗器１３０は、負荷キャパシタ１２８に並列接続してある。出力回路１０６の調整可能抵抗器１１４と同様、調整可能抵抗器１３０の抵抗値はＩＣデバイス１０４の製作後に調整することができる。調整可能抵抗器１３０は、レーザによるトリミングが可能な抵抗器などの製造後に抵抗値を調整することのできるどんな種類の抵抗器であってもよい。随意選択的な抵抗値調整可能トランジスタ１３２もまた、負荷キャパシタ１２８に並列接続される。本実施形態では、抵抗値調整可能トランジスタ１３２はＦＥＴである。しかしながら、抵抗値調整可能トランジスタは他種のトランジスタとすることもできる。抵抗値調整可能トランジスタ１３２は、調整可能抵抗器として機能する線形領域で動作する。抵抗値調整可能トランジスタ１３２のゲートは調整可能電圧源１３８に接続してあり、この電圧源はオン・デバイスのＤ／Ａ変換器或いは調整可能抵抗器付き分圧器とすることができる。調整可能電圧源１３８はＩＣデバイス１０４の製造後に調整することのできる電圧を抵抗値調整可能トランジスタ１３２のゲートへ供給し、トランジスタのオン抵抗を調整する。抵抗値調整可能トランジスタを調整可能抵抗器として動作させるため、ドレイン・ソース間電圧（Ｖds）はゲート・ソース間電圧と閾値電圧との差分（Ｖgs−Ｖth）未満としなければならない。代替構成では、調整可能抵抗器１３０及び／又は抵抗値調整可能トランジスタ１３２は入力ノード１４０と低電圧端子１２４との間に並列に直接接続することができる。
【００２０】
入力回路１０８の構成により、ＩＣデバイス１０４の製造後に入力回路のインピーダンスを調整することができる。例えば、入力回路１０８のインピーダンスは調整可能電圧源１３６の電圧を調整してパストランジスタ１２６に供給される制御信号の電圧を調整することで先ず調整することができる。入力回路１０８のインピーダンスは次に、調整可能電圧源１３８から抵抗値調整可能トランジスタ１３２に供給される電圧を調整することで調整することができる。入力回路１０８のインピーダンスは次に、調整可能抵抗器１３０の抵抗値を変えることにより更に調整することができる。パストランジスタ１２６に供給される制御電圧、抵抗値調整可能トランジスタ１３２に供給される電圧、および調整可能抵抗器１３０の抵抗値に対し他の手順の調整を施して、入力回路１０８のインピーダンスを調整することができる。入力回路のインピーダンスがＩＣデバイス１０２からＩＣデバイス１０４へ伝送される出力信号の電圧ピーキングに影響を及ぼすため、パストランジスタ１２６と調整可能抵抗器１３０及び／又は抵抗値調整可能トランジスタ１３２を用いて入力回路１０８のインピーダンスを選択的に調整することで電圧ピーキングを少なくとも一部制御することができる。
【００２１】
ここで図２を参照すると、本発明の別の実施形態による、ＩＣデバイス２０２とＩＣデバイス２０４とを有するマルチデバイスシステム２００が図示してある。図２のマルチデバイスシステム２００は、図１のマルチデバイスシステム１００の差動版である。かくして、本実施形態では、ＩＣデバイス２０２はＩＣデバイス２０４の入力回路２０８に差動信号を伝送して入力回路を駆動するよう設計された出力回路２０６を含む。図１のマルチデバイスシステム１００と同様、入力回路２０８と出力回路２０６は、ＩＣデバイス２０２，２０４の製造後に入力回路及び／又は出力回路のインピーダンスを調整して差動信号の電圧ピーキングを制御できるよう構成してある。
【００２２】
ＩＣデバイス２０２の出力回路２０６は、駆動トランジスタ２１０と随意選択的な調整可能抵抗器２１２と調整可能電流源２１４と調整可能電圧源２１６とを含む。これらの構成要素は、図１のマルチデバイスシステム１００の出力回路１０６と同一構成において、高電圧端子２１８と低電圧端子２２０（例えば、グラウンド）と出力ノード２２２とに接続してある。出力回路２０６には更に、駆動トランジスタ２２４と随意選択的な調整可能抵抗器２２６と調整可能電流源２２８と調整可能電圧源２３０とが含まれ、それらは同様に高電圧端子２１８と低電圧端子２２０と出力ノード２３２とに接続してある。他の実施形態では、調整可能電圧源２１６，２３０は調整可能電流源２１４，２２８の双方に制御電圧を供給する単一の調整可能電圧源により置き換えることもできる。
【００２３】
駆動トランジスタ２１０，２２４は駆動信号ｄｒｖ＿ｓｉｇ，バーｄｒｖ＿ｓｉｇを受信し、この駆動信号が出力ノード２２２，２３２を介してＩＣデバイス２０４の入力回路２０８へ駆動トランジスタを交互に通って流れる電流を制御（増大し減少させる）する。出力ノード２２２，２３２は電気結線２３４，２３６に接続してあり、それらの結線がＩＣデバイス２０２の出力回路２０６とＩＣデバイス２０４の入力回路２０８を接続している。電気結線２３４，２３６は、ボンディングワイヤ及び／又は短絡（λ≪λ／４）伝送線路とすることができる。
【００２４】
図１のマルチデバイスシステム１００の出力回路１０６と同様、出力回路２０６の構成により出力回路２０６のインピーダンスはＩＣデバイス２０２の製造後に調整できるようになる。かくして、出力回路２０６から入力回路２０８へ伝送される差動信号の電圧ピーキングは、調整可能電流源２１４，２２８及び／又は随意選択的な調整可能抵抗器２１２，２２６を用いて出力回路２０６のインピーダンスを調整することにより少なくとも部分的に制御することができる。
【００２５】
ＩＣデバイス２０４の入力回路２０８には、パストランジスタ２３８と負荷キャパシタ２４０とスイッチング装置２４２と調整可能電圧源２４４とが含まれる。これらの構成要素は、図１のマルチデバイスシステム１００の入力回路１０８と同じ構成において入力ノード２４６と低電圧端子２２０との間に直列に接続してある。入力ノード２４６は、電気結線２３４に接続してある。かくして、入力ノード２４６は出力回路２０６の出力ノード２２２に電気的に接続され、出力回路が伝送する差動信号の一方を受信する。入力回路２０８は更に、パストランジスタ２４８と負荷キャパシタ２５０とスイッチング装置２５２と調整可能電圧源２５４とを含み、それらは同様に入力ノード２５６と低電圧端子２２０との間に直列に接続してある。入力ノード２５６は、電気結線２３６へ接続してある。かくして、入力ノード２５６は出力回路２０６の出力ノード２３２に電気的に接続され、出力回路により伝送される差動信号の他方を受信する。スイッチング装置２４２，２５２は、サンプリング用クロック信号でよいオンオフ信号ｏｎ＿ｏｆｆを受信する構成としてある。オンオフ信号はスイッチング装置を選択的に作動或いは作動停止させ、サンプリングトランジスタでよいパストランジスタ２３８，２４８へ調整可能電圧源２４４，２５４により供給される電圧に基づいた制御信号を伝送する。例示実施形態では、各スイッチング装置は相補型のＰＭＯＳトランジスタ２５８とＮＭＯＳトランジスタ２６０を含み、それらは個々の調整可能電圧源２４４や２５４と低電圧端子２２０とに直列接続してある。ＰＭＯＳトランジスタ２５８とＮＭＯＳトランジスタ２６０のゲートはオンオフ信号を受信するよう構成してあり、このオンオフ信号が選択的にＰＭＯＳトランジスタ２５８を作動させるとともにＮＭＯＳトランジスタ２６０を作動停止させ、それにより、制御信号の一つが個々のパストランジスタ２３８，２４８のゲートへ伝送される。制御信号がパストランジスタ２３８，２４８を選択的に作動させ、例えば出力回路２０６からの差動信号をサンプリングする。
【００２６】
入力回路２０８は更に、随意選択的な調整可能抵抗器２６２と随意選択的な抵抗値調整可能トランジスタ２６４とを含み、それらはパストランジスタ２３８，２４８間に並列に接続してある。抵抗値調整可能トランジスタ２６４は、調整可能電圧源２６６へも接続してある。調整可能電圧源２６６は、抵抗値調整可能トランジスタ２６４へ制御電圧を供給する。抵抗値調整可能トランジスタ２６４は線形領域で動作して調整可能抵抗器として機能し、その抵抗値は調整可能電圧源からの制御電圧を調整することで変化させることができる。調整可能抵抗器２６２は、ＩＣデバイス２０４の製造後に抵抗値を調整することのできる抵抗器である。代替構成では、調整可能抵抗器２６２及び／又は抵抗値調整可能トランジスタ２６４を入力ノード２４６と２５６との間に並列に直接接続することもできる。
【００２７】
図１のマルチデバイスシステム１００の入力回路１０８と同様、入力回路２０８の構成によってＩＣデバイス２０４の製作後に入力回路２０８のインピーダンスが調整できるようにしてある。かくして、ＩＣデバイス２０２の出力回路から伝送される差動信号の電圧ピーキングは、パストランジスタ２３８，２４８と随意選択的な抵抗器２６２及び／又は随意選択的な抵抗値調整可能トランジスタ２６４を用いて入力回路２０８のインピーダンスを調整することで少なくとも一部制御することができる。
【００２８】
マルチデバイスシステム１００，２００の出力回路１０６，２０６の調整可能電流源１１６，２１４，２２８が調整可能電圧により制御されるものとして説明したが、これらの調整可能電流源は代わって調整可能電流により制御することもできる。同様に、パストランジスタ１２６，２３８，２４８と抵抗値調整可能トランジスタ１３２，２６４は、調整可能電圧ではなく調整可能電流によって制御することもできる。
【００２９】
本発明の一実施形態に従いＩＣデバイス間で伝送される出力信号の電圧ピーキング制御方法を、図３のフロー線図を参照して説明する。ブロック３０２において、出力回路を有する第１のＩＣデバイスが設けられる。一例として、出力回路は図１のマルチデバイスシステム１００の出力回路や図２のマルチデバイスシステム２００の出力回路２０６とすることができる。ブロック３０４において、入力回路を有する第２のＩＣデバイスが設けられる。一例として、入力回路は図１のマルチデバイスシステム１００の入力回路１０８や図２のマルチデバイスシステム２００の入力回路２０８とすることができる。ブロック３０６において、入力回路のパストランジスタに印加される制御信号を調整し、パストランジスタのオン抵抗を変える。随意選択的なブロック３０８において、パストランジスタと低電圧端子との間に直列接続した入力回路の調整可能抵抗器の抵抗値を変える。随意選択的なブロック３１０において、パストランジスタと低電圧端子との間に直列接続した入力回路の抵抗値調整可能トランジスタに印加する制御信号を調整し、トランジスタのオン抵抗を調整する。随意選択的なブロック３１２において、高電圧端子と低電圧端子の間に駆動トランジスタと直列に接続した出力回路の調整可能電流源に供給される制御信号を調整し、調整可能電流源が引き込む電流を調整する。随意選択的なブロック３１４において、駆動トランジスタと出力ノードとの間に直列に接続した出力回路の調整可能抵抗器の抵抗値を変える。ブロック３０６乃至３１４の実行により、入力回路及び／又は出力回路のインピーダンスを調整し、そのことで出力回路から入力回路へ伝送される出力信号の電圧ピーキングに影響を与える。かくして、出力信号の電圧ピーキングは、ブロック３０６〜３１４の１つ以上を実行することで制御することができる。
【００３０】
本発明の特定の実施形態を説明し図示してきたが、本発明はかく説明し図示した部品の特定の形態や配置に限定すべきではない。本発明範囲は、本願明細書に添付した特許請求の範囲とそれらの等価物により規定される。
【図面の簡単な説明】
【００３１】
【図１】本発明の一実施形態によるマルチデバイスシステムを示す図である。
【図２】本発明の別の実施形態によるマルチデバイスシステムを示す図である。
【図３】本発明の一実施形態による電圧ピーキング制御方法のフロー図である。
【符号の説明】
【００３２】
１００：マルチデバイスシステム
１０２，１０４：集積回路デバイス
１０６：出力回路
１０８：入力回路
１１０：電気結線
１１２：駆動トランジスタ
１１４，１３０：調整可能抵抗器
１１６：調整可能電流源
１１８，１３６，１３８：調整可能電圧源
１２０：高電圧端子
１２２：出力ノード
１２４：低電圧端子
１２６：パストランジスタ
１２８：負荷キャパシタ
１３２：抵抗値調整可能トランジスタ
１３４：スイッチング装置
１４０：入力ノード
１４２：ＰＭＯＳトランジスタ
１４４：ＮＭＯＳトランジスタ
【図１】
2004236311.tif 000005
【図２】
2004236311.tif 000006
【図３】
2004236311.tif 000007